(57)【要約】【目的】  広角域を含みズーム比１０倍を超えるコンパクトで高性能な高変倍率ズームレンズでありながら、ズーミングによる動きのスムーズさと収差変動の少ないシステムを実現する。【構成】  物体側より順に第１レンズ群Ｇ１が正、第２レンズ群Ｇ２が負、第３レンズ群Ｇ３が正、第４レンズ群Ｇ４が正の屈折力を持つ４つのレンズ群で構成され、広角端から望遠端への変倍に際し、前記第１レンズ群Ｇ１と第２レンズ群Ｇ２との空気間隔を拡大させ、前記第２レンズ群Ｇ２と第３レンズ群Ｇ３との間隔を縮小させつつ、第１レンズ群Ｇ１、第３レンズ群Ｇ３、第４レンズ群Ｇ４が物体方向に移動し、フォーカシングは第２レンズ群Ｇ２を物体側に繰り出して行い、一定の条件を満足させる。【選択図】図１
2006259016.tif 000002
【特許請求の範囲】
【請求項１】
物体側より順に第１レンズ群が正、第２レンズ群が負、第３レンズ群が正、第４レンズ群が正の屈折力を持つ４つのレンズ群で構成され、広角端から望遠端への変倍に際し、前記第１レンズ群と第２レンズ群との空気間隔を拡大させ、前記第２レンズ群と第３レンズ群との間隔を縮小させつつ、第１、第３、第４レンズ群が物体方向に移動し、フォーカシングは第２レンズ群を物体側に繰り出して行い、以下の条件式を満足することを特徴とする高変倍率ズームレンズ。
（１）６.０＜Ｚ・ｆｂＷ／ｍ１＜８.５
（２）０.１６＜ｍ２／ｍ１＜０.２０
（３）０.２＜｜ｆ２｜／ｆ４＜０.５
（４）０.９＜｜β２Ｔ｜＜１.０
（５）１.１＜｜β３，４Ｗ｜＜１.３
ただし、
Ｚ：ズーム比
ｆｂＷ：広角端のバックフォーカス
ｍ１：第１レンズ群の広角端から望遠端までの移動量
ｍ２：第２レンズ群の広角端から望遠端までの移動量
ｆ２：第２レンズ群の焦点距離
ｆ４：第４レンズ群の焦点距離
β２Ｔ：第２レンズ群の望遠端の倍率
β３，４Ｗ：第３、第４レンズ群の広角端での合成倍率
【請求項２】
物体側より順に第１レンズ群が正、第２レンズ群が負、第３レンズ群が正、第４レンズ群が正の屈折力を持つ４つのレンズ群で構成され、広角端から望遠端への変倍に際し、前記第１レンズ群と第２レンズ群との空気間隔を拡大させ、前記第２レンズ群と第３レンズ群との間隔を縮小させつつ、第１、第３、第４レンズ群が物体方向に移動し、フオーカシングは第２レンズ群を物体側に繰り出して行い、第２レンズ群の最も物体側の面と第４レンズ群内に１面の非球面を使用したことを特徴とする請求項１に記載の高変倍率ズームレンズ。
【請求項３】
物体側より順に第１レンズ群が正、第２レンズ群が負、第３レンズ群が正、第４レンズ群が正の屈折力を持つ４つのレンズ群で構成され、広角端から望遠端への変倍に際し、前記第１レンズ群と第２レンズ群との空気間隔を拡大させ、前記第２レンズ群と第３レンズ群との間隔を縮小させつつ、第１、第３、第４レンズ群が物体方向に移動し、フオーカシングは第２レンズ群を物体側に繰り出して行い、第４レンズ群が物体側より両凸の正レンズ、正レンズ、物体側の面が非球面の負レンズ、両凸の正レンズで構成されたことを特徴とする請求項１または請求項２に記載の高変倍率ズームレンズ。
【発明の詳細な説明】
【技術分野】
【０００１】
本発明は、デジタルカメラやビデオカメラ等に用いられる広角端の画角７６度程度、ズーム比が１０を超える高性能な高変倍率ズームレンズに関するものである。
【背景技術】
【０００２】
現在、ＡＰＳ−Ｃサイズのイメージセンサーを用いたレンズ交換式デジタル一眼レフカメラ用高倍率ズームレンズとしてはズーム比７倍程度の特願２００４−１４９８２４号が知られているが、ズーム比が１０倍を超えるズームレンズは存在しない。１０倍を超えるズームレンズとしては３５ｍｍフィルム一眼レフカメラ用２８−３００ｍｍに関する特開２００１−１１７００５号公報等が存在する。
【特許文献１】特願２００４−１４９８２４号
【特許文献２】特開２００１−１１７００５号公報
【発明の開示】
【発明が解決しようとする課題】
【０００３】
しかしながら、上記特開２００１−１１７００５号公報等の３５ｍｍフィルム一眼レフカメラ用２８−３００ｍｍズームレンズはそのままＡＰＳ−Ｃサイズのイメージセンサーを用いたレンズ交換式デジタル一眼レフカメラに使用したのでは広角側の画角が狭く不満である。また、３５ｍｍフィルムカメラ用の２８−３００ｍｍズームレンズを広角端の画角が７６°程度になるようにスケーリングした場合、スケーリング倍率が小さいので、スケーリング後のシステムは個々のレンズの中心厚やコバ厚、あるいはレンズ間隔が小さくなりすぎて生産性が悪く、更にバックフォーカスが短くなるのでレンズ交換式一眼レフカメラシステムと共用できない問題が生じてくる。
【０００４】
上記の特願２００４−１４９８２４号と同程度のコンパクトさと十分なバックフォーカスおよび性能の高さと良好な生産性を維持しながら、更にズーム比を拡張した高変倍率ズームレンズを設計するには新しい技術内容が必要である。
【０００５】
本発明はＡＰＳ−Ｃサイズのイメージセンサーを用いた一眼レフタイプのデジタルカメラに装着した時に、３５ｍｍフィルムカメラ用レンズの２８ｍｍ相当の画角７６°程度から３００ｍｍ相当の画角８°程度までをカバーして１０倍を超えるズーム比を実現し、レンズ交換式の３５ｍｍフィルム一眼レフカメラシステムと共用できるバックフオーカスの長さを有し、コンパクトで高性能な高倍率ズームレンズの実現にある。
【課題を解決するための手段】
【０００６】
本発明の高変倍率ズームレンズは、広角端の焦点距離１８ｍｍ（３５ｍｍフィルム換算２８ｍｍ相当）から１０倍を越えるズーム比と、１８ｍｍ時にも３５ｍｍフィルム一眼レフカメラに装着できるバックフオーカスを持ちながら、高度な収差補正とそれに相反する製造し易さを同時に実現し、かつ良好なＡＦの合焦性、ズーミングのスムーズさという非常に高度な設計上の問題点を、以下の構成と条件を与えることにより解決した。
【０００７】
すなわち、物体側より順に第１レンズ群が正、第２レンズ群が負、第３レンズ群が正、第４レンズ群が正の屈折力を持つ４つのレンズ群で構成され、広角端から望遠端への変倍に際し、前記第１レンズ群と第２レンズ群との空気間隔を拡大させ、前記第２レンズ群と第３レンズ群との間隔を縮小させつつ、第１、第３、第４レンズ群が物体方向に移動し、フォーカシングは第２レンズ群を物体側に繰り出して行い、以下の条件を満足させた。
（１）６.０＜Ｚ・ｆｂＷ／ｍ１＜８.５
（２）０.１６＜ｍ２／ｍ１＜０.２０
（３）０.２＜｜ｆ２｜／ｆ４＜０.５
（４）０.９＜｜β２Ｔ｜＜１.０
（５）１.１＜｜β３，４Ｗ｜＜１.３
ただし、
Ｚ：ズーム比
ｆｂＷ：広角端のバックフォーカス
ｍ１：第１レンズ群の広角端から望遠端までの移動量
ｍ２：第２レンズ群の広角端から望遠端までの移動量
ｆ２：第２レンズ群の焦点距離
ｆ４：第４レンズ群の焦点距離
β２Ｔ：第２レンズ群の望遠端の倍率
β３，４Ｗ：第３、第４レンズ群の広角端での合成倍率
【０００８】
さらに、第２レンズ群の最も物体側の面と第４レンズ群内に１面の非球面を導入し、第４レンズ群は物体側より両凸の正レンズ、正レンズ、物体側の面が非球面の負レンズ、両凸の正レンズで構成されるのがより好ましい形態である。
【発明の効果】
【０００９】
本発明の高変倍率ズームレンズによれば、物体側より順に第１レンズ群が正、第２レンズ群が負、第３レンズ群が正、第４レンズ群が正の屈折力を持つ４つのレンズ群で構成され、広角端から望遠端への変倍に際し、前記第１レンズ群と第２レンズ群との空気間隔を拡大させ、前記第２レンズ群と第３レンズ群との間隔を縮小させつつ、第１、第３、第４レンズ群が物体方向に移動し、フォーカシングは第２レンズ群を物体側に繰り出して行う構成としたので、以下のように物体側より順に正、負、正、正の屈折力を有する４群ズームレンズ群のパワーと移動量方向の限定と５つの条件により、広角域を含みズーム比１０倍を超える高性能な高変倍率ズームレンズでありながら、十分なバックフォーカスの長さを有し、コンパクトでズーミングによる動きのスムーズさと収差変動の少ないシステムが実現できる。
【発明を実施するための最良の形態】
【００１０】
条件式（１）は、ズーム比と第１レンズ群Ｇ１の広角端から望遠端までの移動量の関係を規定する条件である。下限を超えることは、第１レンズ群Ｇ１の移動量が大きくなることであり、望遠側において周辺光束に片絞りが発生し、鏡筒が長くなるので製造上、使用上好ましくなく、さらに望遠側での球面収差の補正が困難となる。逆に上限を超えると、第１レンズ群Ｇ１の移動量が小さくなるので、機構的には有利であるが、第１レンズ群Ｇ１のパワーが強くなり望遠側での非点収差補正が困難になる。
【００１１】
条件式（２）は、第１レンズ群Ｇ１の移動量と第２レンズ群Ｇ２の移動量の比を規定する。下限を超えると、望遠側で像面がマイナスに倒れるので好ましくなく、第１レンズ群Ｇ１を通過した周辺光線が第２レンズ群Ｇ２の有効径の中心近くに入射するようになって、片絞りの傾向が強くなる。また、中間焦点距離域で第２レンズ群Ｇ２が第１レンズ群Ｇ１に近づくＵターン現象が顕著になりズーミングがスムーズにできなくなる。上限を超えると、望遠側で第２レンズ群Ｇ２が第１レンズ群Ｇ１に近づくため、片絞りの傾向は改善されるが、像面がプラス側に倒れ、その補正が困難になる。また、第３レンズ群Ｇ３、第４レンズ群Ｇ４の移動量が増加するので、機構的な負担が大きくなり好ましくない。
【００１２】
条件式（３）は、第２レンズ群Ｇ２の焦点距離と第４レンズ群Ｇ４の焦点距離の比を与える。下限を超える、すなわち第２レンズ群Ｇ２の負パワーがより強くなると、広角端におけるバックフオーカスの確保と条件式（４）に対して有利であるが、ズーム全域にわたって球面収差が悪化し、その補正が困難になる。また、第４レンズ群Ｇ４の焦点距離が大きくなると、中間焦点距離域から望遠端にかけての像面湾曲の補正には有利であるが、望遠端において第４レンズ群Ｇ４の移動量が増加し機構的な負担が大きくなる。上限を超える、すなわち第４レンズ群Ｇ４の焦点距離が小さくなると、製造誤差による効き量が大きくなり生産性が低下する。
【００１３】
第４レンズ群Ｇ４は本発明システムで製造誤差による性能の変動が最も大きい群であり、パワーを強くして移動量を小さくすると製造誤差による性能の劣化が激しく、製造に困難をきたす。条件式（３）は、良好な収差補正とスムーズなズーミング機構、および第４レンズ群Ｇ４の良好な生産性を確保するのに欠かせない条件である。
【００１４】
条件式（４）は、第２レンズ群Ｇ２でフォーカシングを行うために必要な条件である。上限を超えると、望遠端付近で第２レンズ群Ｇ２の倍率が−１倍になり、フォーカシングの動きが不定になる状態が現れる。また、上限を超えると、中間焦点距離域から望遠端にかけての非点収差の補正、第１レンズ群Ｇ１の移動量を減らしてコンパクトなレンズを実現するには有利であるが、前述したようにフォーカシング問題が発生するので好ましくない。下限を超えると、第３レンズ群Ｇ３、第４レンズ群Ｇ４の移動量が大きくなり収差補正が困難になる上に、１０倍を超えるズーム比の実現が困難になる。
【００１５】
条件式（５）は、広角端における第３レンズ群Ｇ３、第４レンズ群Ｇ４の合成倍率を規定する条件である。下限を超えると、ズーム比７倍程度までは、ズームリングの回転角当たりの焦点距離変化が小さいので第３レンズ群Ｇ３、第４レンズ群Ｇ４の移動のしかたは大きな支障にはならないが、ズーム比が１０倍近くになると第３レンズ群Ｇ３、第４レンズ群Ｇ４の広角端から中間焦点距離域にかけての移動が大きくなってズーミングがスムーズにならず、製品化に好ましくない。上限を超えると製造誤差による収差変動も大きくなり製造に支障をきたし、また、広角端におけるバックフオーカスの確保がしやすい反面、ズーム全域で非点収差の補正が困難になるが、なによりもコンパクトさを実現する支障になる。
【００１６】
非球面は第２レンズ群Ｇ２と第４レンズ群Ｇ４に導入するのが、収差補正上最も有効である。非球面が２面より少ないと良好な性能の確保が難しく、非球面を多用し過ぎると生産性が悪化する。請求項２は、良好な性能と製造しやすい公差を両立させるための非球面使用の条件を与えるものである。第２レンズ群Ｇ２の最も物体側にある非球面は広角側の大きい画角の歪曲収差を補正し、第４レンズ群Ｇ４の非球面は全ズーム域の周辺光線の収差を補正する効果が大きい。
【００１７】
請求項３は、レンズ全長をコンパクトに保ちつつも製造誤差による効き量が小さくなるような第４レンズ群Ｇ４の構成を規定するものである。コンパクトにするために最小のレンズ枚数で構成し、かつ良好な性能の確保と製造誤差の効き量を小さくするために、第４レンズ群Ｇ４は物体側より両凸の正レンズＬ４１、正レンズＬ４２、物体側の面が非球面の負レンズＬ４３、両凸の正レンズＬ４４の構成にするのが好ましい。物体側に凸レンズが１枚では凸レンズのパワーが強くなって製造誤差の収差への効き量が増大し、３枚ではレンズ枚数が増えることによる製造誤差の効き量の増大と共に、レンズが大型化するので好ましくない。凹レンズは最も像面側に配するのが周辺性能にとって好ましいが、最終レンズが凹レンズになると製造誤差の効き量が極端に大きくなるので、像面側に凸レンズを加えて緩和する構成とした。
【００１８】
以下に、本発明の高変倍率ズームレンズの実施例１、実施例２および実施例３を示す。実施例１乃至３において、ｆは焦点距離、ＦｎｏはＦナンバー、ωは半画角でありＲは物体側より順に第ｉ番目のレンズ面の曲率半径、Ｄは物体側より順に第ｉ番目のレンズ厚および空気間隔、Ｎｄ，νｄは各々物体側より順に第ｉ番目レンズのｄ線の屈折率とアッベ数である。非球面形状は光軸方向にｘ軸、光軸と垂直方向にｙ軸としたとき、以下の式で表わされる。
ｘ＝（ｙ２／Ｒ）／［１＋｛１−Ａ（ｙ２／Ｒ２）｝１／２］＋Ａ４ｙ４＋Ａ６ｙ６＋Ａ８ｙ８＋Ａ１０ｙ１０
Ｒは近軸曲率半径、Ａ４，Ａ６，Ａ８，Ａ１０は非球面係数、Ａは円錐係数である。
【実施例１】
【００１９】
ｆ＝１８.７８ｍｍ〜５９.９６ｍｍ〜１９１.４１ｍｍ
ｆｂ＝３８.５８ｍｍ〜５９.６４ｍｍ〜７１.９７ｍｍ
Ｆｎｏ＝３.６４〜５.１４〜６.０６
ω＝３８.０°〜１２.８°〜４.１°
【００２０】
Ｒ          Ｄ          Ｎｄ            νｄ
［１］        ９７.６７４    １.５５０    １.８４６６６    ２３.８
［２］        ５６.５０４    ７.３５３    １.４９７００    ８１.６
［３］    −４５１.７０６    ０.１５０
［４］        ５２.１８７    ４.８２０    １.７２９１６    ５４.７
［５］      １６７.１６１    ２.４３０
［６］        ８８.４１４    ０.０８０    １.５１８４０    ５２.１
［７］        ７９.２８７    １.０００    １.８３４８１    ４２.７
［８］        １２.３０２    ４.４７２
［９］      −３１.１７４    ０.８００    １.８０４２０    ４６.５
［１０］      ４６.１１０    ０.１５０
［１１］      ２２.９８６    ５.７６７    １.７４０７７    ２７.８
［１２］    −２２.９８５    ０.４１７
［１３］    −１８.１６５    ０.８００    １.８０４２０    ４６.５
［１４］      ３４.１５２    １.８６９    １.７６１８２    ２６.６
［１５］  −３７４.２９８  ２０.４１１
［１６］        絞り          ０.８３２
［１７］      ２８.１６１    ２.８５８    １.４９７００    ８１.６
［１８］    −６９.４６５    ０.１５０
［１９］      ２７.９２１    ２.７５８    １.４８７４９    ７０.４
［２０］    −９４.６９９    ０.６８４
［２１］    −２９.２３７    １.１１０    １.８０６１０    ４０.７
［２２］    １４８.３８１    ６.１０５
［２３］      ２９.２８１    ４.４５７    １.４８７４９    ７０.４
［２４］    −２９.２８２    ０.１５０
［２５］      ４２.９２５    ２.７１０    １.４８７４９    ７０.４
［２６］−１５０８.８４５    １.０５８
［２７］    １５８.９４８    ０.１５０    １.５１８４０    ５２.１
［２８］  −８８７.３５７    ２.８５３    １.８０６１０    ４０.７
［２９］      ２１.５５８    １.２９０
［３０］      ７４.０１２    ２.９０４    １.４８７４９    ７０.４
［３１］    −７４.０１５
【００２１】
ｆ＝          １８.７８ｍｍ〜５９.９６ｍｍ〜１９１.４１ｍｍ
Ｄ５＝          ２.４３０  〜２７.１０４  〜  ４５.０４８
Ｄ１５＝      ２０.４１１  〜１０.３７５  〜    １.６４３
Ｄ２２＝        ６.１０５  〜  ２.１１２  〜    ０.７００
【００２２】
（非球面係数）
Ｒ６                            Ｒ２７
Ａ＝      ０.６０４０００００Ｄ＋０１  −０.４９５６３０００Ｄ＋０３
Ａ４＝      ０.２８２６０８００Ｄ−０５  −０.３２２５６８００Ｄ−０４
Ａ６＝      ０.４８５４９１００Ｄ−０７  −０.２２２５９６００Ｄ−０６
Ａ８＝    −０.４２０７３２００Ｄ−０９    ０.９７８７２１００Ｄ−０９
Ａ１０＝    ０.１７８７５６００Ｄ−１１  −０.２３８２２４００Ｄ−１１
【００２３】
（条件式）
（１）Ｚ・ｆｂＷ／ｍ１＝７.５８
（Ｚ＝１０.１９，ｆｂＷ＝３８.５８，ｍ１＝５１.８４）
（２）ｍ２／ｍ１＝０.１８
（ｍ２＝９.２２）
（３）｜ｆ２｜／ｆ４＝０.３１
（｜ｆ２｜＝１１.３９，ｆ４＝３６.６５）
（４）｜β２Ｔ｜＝０.９８
（５）｜β３，４Ｗ｜＝１.１８
【実施例２】
【００２４】
ｆ＝１８.７３ｍｍ〜５９.９７ｍｍ〜１９１.９４ｍｍ
ｆｂ＝３８.０９ｍｍ〜５９.１８ｍｍ〜７１.５０ｍｍ
Ｆｎｏ＝３.６４〜５.１６〜６.１３
ω＝３８.０°〜１２.７°〜４.１°
【００２５】
Ｒ          Ｄ          Ｎｄ            νｄ
［１］      １００.３２６    １.５５０    １.８４６７０    ２３.８
［２］        ５７.３７５    ７.４０３    １.４９７００    ８１.６
［３］    −３６９.４２８    ０.１５０
［４］        ５２.９５９    ４.７４７    １.７２９１６    ５４.７
［５］      １６８.７６９    ２.４３０
［６］        ８０.６７６    ０.０８０    １.５１８４０    ５２.１
［７］        ７１.３０１    １.０００    １.８３４８１    ４２.７
［８］        １２.２１３    ４.３８９
［９］      −２９.４６２    ０.８００    １.８０４２０    ４６.５
［１０］      ４２.５２０    ０.１５０
［１１］      ２３.１５８    ５.４４９    １.７４０７７    ２７.８
［１２］    −２３.１２７    ０.４１４
［１３］    −１７.６３６    ０.８００    １.８０４２０    ４６.５
［１４］      ３９.７１８    １.８９０    １.７６１８２    ２６.６
［１５］  −１２５.７０５  ２０.６９１
［１６］        絞り          ０.８３１
［１７］      ２６.６９４    ３.０４６    １.４９７００    ８１.６
［１８］    −５７.３０２    ０.１５０
［１９］      ２７.３１１    ３.４７７    １.４８７４９    ７０.４
［２０］  −１４３.９２６    ０.８３１
［２１］    −２８.２７４    ０.９００    １.８０６１０    ４０.７
［２２］      ９５.９６０    ５.６１５
［２３］      ２７.５７１    ４.７０３    １.４８７４９    ７０.４
［２４］    −２７.５５８    ０.１５０
［２５］      ５９.３６２    ３.０７５    １.４８７４９    ７０.４
［２６］  −９０７.８９１    １.１２８
［２７］    １５３.７８１    ０.１５０    １.５１８４０    ５２.１
［２８］  −３５３.７１７    ２.６５６    １.８０６１０    ４０.７
［２９］      ２４.３３９    １.１２４
［３０］      ７５.０２１    ２.９１２    １.４８７４９    ７０.４
［３１］    −７５.２１９
【００２６】
ｆ＝          １８.７３ｍｍ〜５９.９７ｍｍ〜１９１.９４ｍｍ
Ｄ５＝          ２.４３０  〜２７.３１６  〜  ４５.４３９
Ｄ１５＝      ２０.６９１  〜１０.５１３  〜    １.５３２
Ｄ２２＝        ５.６１５  〜  １.８９２  〜    ０.７００
【００２７】
（非球面係数）
Ｒ６                            Ｒ２７
Ａ＝      ０.６０４０００００Ｄ＋０１  −０.４９５６３０００Ｄ＋０３
Ａ４＝      ０.３８７６７２００Ｄ−０５  −０.３６２９７７００Ｄ−０４
Ａ６＝      ０.３９６９０３００Ｄ−０７  −０.２７７１１６００Ｄ−０６
Ａ８＝    −０.３８５５６１００Ｄ−０９    ０.９７８７２１００Ｄ−０９
Ａ１０＝    ０.２１１０４３００Ｄ−１１  −０.２３８２２４００Ｄ−１１
【００２８】
（条件式）
（１）Ｚ・ｆｂＷ／ｍ１＝７.４６
（Ｚ＝１０.２５，ｆｂＷ＝３８.０９，ｍ１＝５２.３５）
（２）ｍ２／ｍ１＝０.１８
（ｍ２＝９.３４）
（３）｜ｆ２｜／ｆ４＝０.３４
（｜ｆ２｜＝１１.５７，ｆ４＝３４.２３）
（４）｜β２Ｔ｜＝０.９９
（５）｜β３，４Ｗ｜＝１.１７
【実施例３】
【００２９】
ｆ＝１８.６７ｍｍ〜５９.９３ｍｍ〜１９２.２５ｍｍ
ｆｂ＝３９.３４ｍｍ〜６０.３９ｍｍ〜７２.９８ｍｍ
Ｆｎｏ＝３.６６〜５.１９〜６.１５
ω＝３８.１°〜１２.８°〜４.１°
【００３０】
Ｒ          Ｄ          Ｎｄ            νｄ
［１］        ９５.４１５    １.５００    １.８４６６６    ２３.８
［２］        ５５.３１５    ７.４４２    １.４９７００    ８１.６
［３］    −４８９.９９７    ０.１５０
［４］        ５１.７４１    ４.８７４    １.７２９１６    ５４.７
［５］      １６７.３１６    ２.２１５
［６］        ７２.９００    ０.０８０    １.５１８４０    ５２.１
［７］        ６４.９４５    １.０００    １.８３４８１    ４２.７
［８］        １１.８３２    ４.５８０
［９］      −３０.２９２    ０.８００    １.８０４２０    ４６.５
［１０］      ４７.６７３    ０.１５０
［１１］      ２２.６０５    ４.３９９    １.７４０７７    ２７.８
［１２］    −２２.５４３    ０.３７５
［１３］    −１７.９３６    ０.８００    １.８０４２０    ４６.５
［１４］      ３０.８１２    １.９４２    １.７６１８２    ２６.６
［１５］  −５０９.３４０  ２０.３６０
［１６］        絞り          ０.８２７
［１７］      ３２.００８    ２.６６３    １.４９７００    ８１.６
［１８］    −５９.７６９    ０.１５０
［１９］      ２５.５３８    ２.６８１    １.４８７４９    ７０.４
［２０］  −１５９.２５０    ０.７３６
［２１］    −３１.４０８    ０.９００    １.８０６１０    ４０.７
［２２］      ９３.０３６    ６.１８３
［２３］      ３２.２２９    ４.１２２    １.４８７４９    ７０.４
［２４］    −３２.２１７    １.８０７
［２５］      ２９.０９５    ３.４３８    １.４８７４９    ７０.４
［２６］  ２３８０.９０９    １.１１９
［２７］    １５８.３２５    ０.１５０    １.５１８４０    ５２.１
［２８］  ２２４０.７５５    １.０００    １.８０６１０    ４０.７
［２９］      ２１.２２０    １.３４１
［３０］      ６６.０６１    ２.７９４    １.４８７４９    ７０.４
［３１］    −６６.０８７
【００３１】
ｆ＝          １８.６７ｍｍ〜５９.９３ｍｍ〜１９２.２５ｍｍ
Ｄ５＝          ２.２１５  〜２６.９９８  〜  ４４.６９４
Ｄ１５＝      ２０.３６０  〜１０.６８３  〜    １.９５９
Ｄ２２＝        ６.１８３  〜  ２.１１４  〜    ０.７００
【００３２】
（非球面係数）
Ｒ６                            Ｒ２７
Ａ＝      ０.６０４０００００Ｄ＋０１  −０.４９５６３０００Ｄ＋０３
Ａ４＝      ０.３１８３７２００Ｄ−０５  −０.２５４５５２００Ｄ−０４
Ａ６＝      ０.４７８５８４００Ｄ−０７  −０.１８３４９０００Ｄ−０６
Ａ８＝    −０.７２６９４８００Ｄ−０９    ０.９７８７２１００Ｄ−０９
Ａ１０＝    ０.４０５３５９００Ｄ−１１  −０.２３８２２４００Ｄ−１１
【００３３】
（条件式）
（１）Ｚ・ｆｂＷ／ｍ１＝７.７５
（Ｚ＝１０.３０，ｆｂＷ＝３９.３４，ｍ１＝５２.２４）
（２）ｍ２／ｍ１＝０.１９
（ｍ２＝９.７６）
（３）｜ｆ２｜／ｆ４＝０.３４
（｜ｆ２｜＝１１.３４，ｆ４＝３３.６７）
（４）｜β２Ｔ｜＝０.９９
（５）｜β３，４Ｗ｜＝１.１８
【図面の簡単な説明】
【００３４】
【図１】本発明の実施例１のレンズ断面図である。
【図２】本発明の実施例２のレンズ断面図である。
【図３】本発明の実施例３のレンズ断面図である。
【図４】本発明の実施例１の広角端の収差図である。
【図５】本発明の実施例１の中間域の収差図である。
【図６】本発明の実施例１の望遠端の収差図である。
【図７】本発明の実施例２の広角端の収差図である。
【図８】本発明の実施例２の中間域の収差図である。
【図９】本発明の実施例２の望遠端の収差図である。
【図１０】本発明の実施例３の広角端の収差図である。
【図１１】本発明の実施例３の中間域の収差図である。
【図１２】本発明の実施例３の望遠端の収差図である。
【符号の説明】
【００３５】
Ｇ１  第１レンズ群
Ｇ２  第２レンズ群
Ｇ３  第３レンズ群
Ｇ４  第４レンズ群
Ｌ４１  両凸の正レンズ
Ｌ４２  正レンズ
Ｌ４３  物体側の面が非球面の負レンズ
Ｌ４４  両凸の正レンズ
【図１】
2006259016.tif 000003
【図２】
2006259016.tif 000004
【図３】
2006259016.tif 000005
【図４】
2006259016.tif 000006
【図５】
2006259016.tif 000007
【図６】
2006259016.tif 000008
【図７】
2006259016.tif 000009
【図８】
2006259016.tif 000010
【図９】
2006259016.tif 000011
【図１０】
2006259016.tif 000012
【図１１】
2006259016.tif 000013
【図１２】
2006259016.tif 000014